【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
注ぎ込み可能な食品の密封パッケージ（１）を製造するためのシート状包装材料（Ｍ、Ｍ’、Ｍ’’、Ｍ’’’）であって、
−  少なくとも一つの第１折り目線（６５；６６）及び少なくとも一つの第２折り目線（６８；６９）と；
−  少なくとも一つの第１点（９１；９４；１０１；１０４）で前記第１折り目線（６５；６６）と交差するとともに少なくとも一つの第２点（９２；９３；１０２；１０３）で前記第２折り目線（６８；６９）と交差する少なくとも一つの第３折り目線（６３；６７）と；
−  前記第１折り目線（６５；６６）及び前記第２折り目線（６８；６９）に対して横方向に配置された少なくとも一つの第４折り目線（６１；６２）と；
−  前記第１折り目線（６５；６６）、前記第２折り目線（６８、６９）、及び前記第３折り目線（６３；６７）により少なくとも部分的に境界を定められた、少なくとも一つの第１パネル（１５１）であって；前記シート状包装材料（Ｍ、Ｍ’、Ｍ’’、Ｍ’’’）が折り曲げられると、密封パッケージ（１）の側壁（９）を画定するように適合された、少なくとも一つの第１パネル（１５１）と；
−  前記第１点（９１、９４；１０１、１０４）と前記第４折り目線（６１；６２）との間で延在する、少なくとも一つの第５折り目線（７０、７３；７４、７７）と；
−  前記第２点（９２、９３；１０２、１０３）と前記第４折り目線（６１；６２）との間で延在する、少なくとも一つの第６折り目線（７１、７２；７５、７６）と；
−  前記第５折り目線（７０、７３；７４、７７）と、前記第６折り目線（７１、７２；７５、７６）と、前記第３折り目線（６３；６７）のうち前記第１点（９１；９４；１０１；１０４）と前記第２点（９２、９３；１０２、１０３）との間に配置された部分と、により境界を定められた、少なくとも一つの第２パネル（１６０、１６１；１７０、１７１）であって；前記シート状包装材料（Ｍ、Ｍ’、Ｍ’’、Ｍ’’’）が折り曲げられると、密封パッケージ（１）の第１折り曲げフラップ（２６；３２）の少なくとも一部を画定するように適合された、少なくとも一つの第２パネル（１６０、１６１；１７０、１７１）と；
を備え、
前記第１点（９１；９４；１０１；１０４）及び前記第４折り目線（６１；６２）は第１距離（Ｈ１）だけ離間しており；
前記第２点（９２、９３；１０２、１０３）及び前記第４折り目線（６１；６２）は第２距離（Ｈ２）だけ離間しており；
前記第１折り目線（６５；６６）及び前記第２折り目線（６８；６９）は第３距離（Ｂ）だけ離間しており；
Ｈ１＋Ｈ２＜Ｂ（Ｈ１は前記第１距離、Ｈ２は前記第２距離、Ｂは前記第３距離）である、シート状包装材料（Ｍ、Ｍ’、Ｍ’’、Ｍ’’’）。
【請求項２】
Ｈ１＋Ｈ２＋２×Ｓ＋Δ＝Ｂ（Ｓは前記シート状包装材料（２、２’、２’’、２’’’）の厚さ、Δは前記シート状包装材料（２、２’、２’’、２’’’）の弾性を考慮した因子）である、請求項１に記載のシート状包装材料。
【請求項３】
前記第１距離（Ｈ１）、前記第２距離（Ｈ２）、及び前記第３距離（Ｂ）は、ミリメートル単位で測定され、２×Ｓ＋Δ＞１ミリメートルである、請求項２に記載のシート状包装材料。
【請求項４】
Ｈ１＋Ｈ２≦Ｂ／１．０１５である、請求項１〜３のいずれか一項に記載のシート状包装材料。
【請求項５】
Ｈ１＝Ｈ２＝Ｈ（Ｈは前記第３折り目線（６３；６７）と前記第４折り目線（６１；６２）との間の距離）である、請求項１〜４のいずれか一項に記載のシート状包装材料。
【請求項６】
Ｈ≦Ｂ／２．０３である、請求項５に記載のシート状包装材料。
【請求項７】
Ｈ≦Ｂ／２．０７である、請求項５に記載のシート状包装材料。
【請求項８】
Ｈ≧Ｂ／２．３０である、請求項５に記載のシート状包装材料。
【請求項９】
Ｈ≧Ｂ／２．１４である、請求項５に記載のシート状包装材料。
【請求項１０】
前記第２パネル（１６０、１６１；１７０、１７１）は三角形であり、前記第５折り目線（７０、７３；７４、７７）及び前記第３折り目線（６７、６３）は、その間で、少なくとも一つの第１角度（α、α’）を画定する、請求項５〜９のいずれか一項に記載のシート状包装材料。
【請求項１１】
前記第１角度（α、α’）の大きさが４５°より小さい、請求項１０に記載のシート状包装材料。
【請求項１２】
前記第１角度（α’）の大きさが約４４°である、請求項１０に記載のシート状包装材料。
【請求項１３】
前記第１角度（α）の大きさが約４３°である、請求項１０に記載のシート状包装材料。
【請求項１４】
前記第２パネル（１６０’’、１６１’’；１７０’’、１７１’’）が台形である、請求項５〜９のいずれか一項に記載のシート状包装材料。
【請求項１５】
前記第５折り目線（７０、７３；７４、７７）及び前記第３折り目線（６７、６３）は、その間で、大きさが４５°の少なくとも一つの第１角度（α’’）を画定する、請求項１４に記載のシート状包装材料。
【請求項１６】
前記第５折り目線（７０、７３；７４、７７）は、前記第１点（９１、９４；１０１、１０４）と、前記第４折り目線（６１；６２）の第３点（８６ａ’’、８７ｂ’’；１１６ａ’’、１１７ｂ’’）と、の間で延在し；
前記第６折り目線（７１、７２；７５、７６）は、前記第２点（９２、９３；１０２、１０３）と、前記第３点（８６ａ’’、８７ｂ’’；１１６ａ’’、１１７ｂ’’）とは異なる前記第４折り目線（６１；６２）の第４点（８６ｂ’’、８７ａ’’；１１６ｂ’’、１１７ａ’’）と、の間で延在し；
前記第３点（８６ａ’’、８７ｂ’’；１１６ａ’’、１１７ｂ’’）及び前記第４点（８６ｂ’’、８７ａ’’；１１６ｂ’’、１１７ａ’’）は、前記第４折り目線（６１；６２）に沿って離間している、請求項１４又は１５に記載のシート状包装材料。
【請求項１７】
前記第１パネル（１５１）の両側それぞれに配置された第２パネル（１６０、１７０；１６１、１７１）の対を備え、前記第２パネル（１６０、１７０；１６１、１７１）の対は、前記シート状包装材料（Ｍ、Ｍ’、Ｍ’’、Ｍ’’’）が折り曲げられると、互いに反対側に配置される前記密封パッケージ（１）の第１フラップ（２６）及び第２フラップ（３２）を画定するように適合されている、請求項１〜１６のいずれか一項に記載のシート状包装材料。
【請求項１８】
−  追加第１折り目線（６６）及び追加第２折り目線（６９）と；
−  前記追加第１折り目線（６６）と前記第３折り目線（６３；６７）との交点により画定された追加第１点（９４；１０４）と；
−  前記追加第２折り目線（６９）と前記第３折り目線（６３；６７）との交点により画定された追加第２点（９３；１０３）と；
−  前記追加第１点（９４；１０４）と前記第４折り目線（６１；６２）との間で延在する追加第５折り目線（７３；７７）と；
−  前記追加第２点（９３；１０３）と前記第４折り目線（６１；６２）との間で延在する追加第６折り目線（７２；７６）と；
−  前記追加第５折り目線（７３；７７）と、前記追加第６折り目線（７２；７６）と、前記第３折り目線（６３；６７）のうち前記追加第１点（９４；１０４）と前記追加第２点（９３；１０３）との間に配置された部分と、により境界を定められた少なくとも一つの追加第２パネル（１６１、１７１）と；
を備え、
前記追加第２パネル（１６１；１７１）は、前記シート状包装材料（Ｍ、Ｍ’、Ｍ’’、Ｍ’’’）が折り曲げられると、前記密封パッケージ（１）の追加第１フラップ（２６；３２）の少なくとも一部を画定するように適合されている、請求項１〜１７のいずれか一項に記載のシート状包装材料。
【請求項１９】
請求項１〜１８のいずれか一項に記載のシート状包装材料（Ｍ、Ｍ’、Ｍ’’、Ｍ’’’）を折り曲げることにより得られる、注ぎ込み可能な食品のための密封パッケージ（１）であって、
−  底壁（６）と；
−  上壁（８）と；
−  前記底壁（６）と前記上壁（８）との間に配置されるとともに前記第１パネル（１５１）により画定される少なくとも一つの側壁（９）と；
を備え、
−  前記上壁（８）から突出するとともに前記側壁（９）の少なくとも一部上に折り曲げられる少なくとも一つの上部第１フラップ（２６）；及び／又は
−  前記側壁（９）のフラップとして前記底壁（６）上に折り曲げられる少なくとも一つの底部第２フラップ（３２）；
を備え、
前記少なくとも一つの上部第１フラップ（２６）及び／又は前記少なくとも一つの底部第２フラップ（３２）は、前記少なくとも一つの第２パネル（１６０、１６１；１７０、１７１）により画定されている、密封パッケージ（１）。
【請求項２０】
密封パッケージ（１）を製造するためのシート状包装材料（Ｍ、Ｍ’）であって、
−  少なくとも一つの第１折り目線（６５；６６）及び少なくとも一つの第２折り目線（６８；６９）と；
−  少なくとも一つの第１点（９１；９４；１０１；１０４）で前記第１折り目線（６５；６６）と交差するとともに少なくとも一つの第２点（９２；９３；１０２；１０３）で前記第２折り目線（６８；６９）と交差する少なくとも一つの第３折り目線（６３；６７）と；
−  前記第１折り目線（６５；６６）及び前記第２折り目線（６８；６９）に対して横方向に配置された少なくとも一つの第４折り目線（６１；６２）と；
−  前記第１折り目線（６５；６６）、前記第２折り目線（６８、６９）、及び前記第３折り目線（６３；６７）により少なくとも部分的に境界を定められた、少なくとも一つの第１パネル（１５１）であって；前記シート状包装材料（Ｍ、Ｍ’）が折り曲げられると、密封パッケージ（１）の側壁（９）を画定するように適合された、少なくとも一つの第１パネル（１５１）と；
−  前記第１点（９１、９４；１０１、１０４）と前記第４折り目線（６１；６２）との間で延在する、少なくとも一つの第５折り目線（７０、７３；７４、７７）と；
−  前記第２点（９２、９３；１０２、１０３）と前記第４折り目線（６１；６２）との間で延在する、少なくとも一つの第６折り目線（７１、７２；７５、７６）と；
−  前記第５折り目線（７０、７３；７４、７７）と、前記第６折り目線（７１、７２；７５、７６）と、前記第３折り目線（６３；６７）のうち前記第１点（９１；９４；１０１；１０４）と前記第２点（９２、９３；１０２、１０３）との間に配置された部分と、により境界を定められた、少なくとも一つの第２パネル（１６０、１６１；１７０、１７１）であって；前記シート状包装材料（Ｍ、Ｍ’）が折り曲げられると、密封パッケージ（１）の第１折り曲げフラップ（２６；３２）の少なくとも一部を画定するように適合された、少なくとも一つの第２パネル（１６０、１６１；１７０、１７１）と；
を備え、
前記第１点（９１；９４；１０１；１０４）及び前記第４折り目線（６１；６２）は第１距離（Ｈ１）離間しており；
前記第２点（９２、９３；１０２、１０３）及び前記第４折り目線（６１；６２）は第２距離（Ｈ２）離間しており；
前記第１折り目線（６５；６６）及び前記第２折り目線（６８；６９）は第３距離（Ｂ）離間しており；
Ｈ１＋Ｈ２＜Ｂ（Ｈ１は前記第１距離、Ｈ２は前記第２距離、Ｂは前記第３距離）であり、
Ｈ１＝Ｈ２＝Ｈ（Ｈは前記第３折り目線（６３；６７）と前記第４折り目線（６１；６２）との間の距離）であり、
Ｈ≧Ｂ／２．３０である、シート状包装材料（Ｍ、Ｍ’）。
【請求項２１】
密封パッケージ（１）を製造するためのシート状包装材料（Ｍ、Ｍ’）であって、
−  少なくとも一つの第１折り目線（６５；６６）及び少なくとも一つの第２折り目線（６８；６９）と；
−  少なくとも一つの第１点（９１；９４；１０１；１０４）で前記第１折り目線（６５；６６）と交差するとともに少なくとも一つの第２点（９２；９３；１０２；１０３）で前記第２折り目線（６８；６９）と交差する少なくとも一つの第３折り目線（６３；６７）と；
−  前記第１折り目線（６５；６６）及び前記第２折り目線（６８；６９）に対して横方向に配置された少なくとも一つの第４折り目線（６１；６２）と；
−  前記第１折り目線（６５；６６）、前記第２折り目線（６８、６９）、及び前記第３折り目線（６３；６７）により少なくとも部分的に境界を定められた、少なくとも一つの第１パネル（１５１）であって；前記シート状包装材料（Ｍ、Ｍ’）が折り曲げられると、密封パッケージ（１）の側壁（９）を画定するように適合された、少なくとも一つの第１パネル（１５１）と；
−  前記第１点（９１、９４；１０１、１０４）と前記第４折り目線（６１；６２）との間で延在する、少なくとも一つの第５折り目線（７０、７３；７４、７７）と；
−  前記第２点（９２、９３；１０２、１０３）と前記第４折り目線（６１；６２）との間で延在する、少なくとも一つの第６折り目線（７１、７２；７５、７６）と；
−  前記第５折り目線（７０、７３；７４、７７）と、前記第６折り目線（７１、７２；７５、７６）と、前記第３折り目線（６３；６７）のうち前記第１点（９１；９４；１０１；１０４）と前記第２点（９２、９３；１０２、１０３）との間に配置された部分と、により境界を定められた、少なくとも一つの第２パネル（１６０、１６１；１７０、１７１）であって；前記シート状包装材料（Ｍ、Ｍ’）が折り曲げられると、密封パッケージ（１）の第１折り曲げフラップ（２６；３２）の少なくとも一部を画定するように適合された、少なくとも一つの第２パネル（１６０、１６１；１７０、１７１）と；
を備え、
前記第１点（９１；９４；１０１；１０４）及び前記第４折り目線（６１；６２）は第１距離（Ｈ１）離間しており；
前記第２点（９２、９３；１０２、１０３）及び前記第４折り目線（６１；６２）は第２距離（Ｈ２）離間しており；
前記第１折り目線（６５；６６）及び前記第２折り目線（６８；６９）は第３距離（Ｂ）離間しており；
Ｈ１＋Ｈ２＜Ｂ（Ｈ１は前記第１距離、Ｈ２は前記第２距離、Ｂは前記第３距離）であり、
Ｈ１＝Ｈ２＝Ｈ（Ｈは前記第３折り目線（６３；６７）と前記第４折り目線（６１；６２）との間の距離）であり、
Ｈ≧Ｂ／２．３０、及びＨ≦Ｂ／２．０３であり、
前記第２パネル（１６０、１６１；１７０、１７１）は三角形であり、前記第５折り目線（７０、７３；７４、７７）及び前記第３折り目線（６７、６３）は、その間で、少なくとも一つの第１角度（α、α’）を画定し、前記第１角度（α、α’）の大きさが４１°以上、４４．５°以下である、シート状包装材料（Ｍ、Ｍ’）。
【請求項２２】
−  前記第４折り目線（６１）により境界を定められた第１の長方形端部領域（７８）と；
−  追加第４折り目線（６２）により境界を定められた第２の長方形端部領域（７９）と；
をさらに備え、
前記第１の長方形端部領域（７８）は、密封パッケージ（１）の上部タブ（２９）を形成するように適合され、前記第２の長方形端部領域（７９）は、密封パッケージ（１）の底部タブ（３３）を形成するように適合される、請求項１、２０、２１のいずれか一項に記載のシート状包装材料。